(57)【要約】【課題】スイベル機構の化粧カバーが不要になり、筐体を安定して回動自在に支持することができる表示装置を提供する。【解決手段】表示装置の筐体２６を支持するスタンド２４がスイベル機構２０を備えており、スイベル機構２０は、有蓋無底筒状の下スイベルヒンジ２１と、下スイベルヒンジ２１に回動可能に支持されている無蓋有底筒状の上スイベルヒンジ２２と、上スイベルヒンジ２２の上面に固定された筒状の支柱２３とを有し、上スイベルヒンジ２２の下面に、上スイベルヒンジ２２の下部の外径と略同径の摺動筒２２ｂが下向きに設けられ、下スイベルヒンジ２１の上面に、摺動筒２２ｂが摺動可能に嵌合する溝２１ｃが設けられており、筐体２６は、支柱２３が挿入されているチャンネル５０を筐体２６内の下部に設けている。【選択図】図２
2008209521.tif 000002
【特許請求の範囲】
【請求項１】
スタンドに固設されたスイベル機構で筐体を支持する表示装置において、
前記スイベル機構は、
下ヒンジと、
該下ヒンジに回動可能に支持されている上ヒンジと、
該上ヒンジに固定された筒状の支柱と
を有し、
前記スタンドは、前記上ヒンジ及び下ヒンジを遮蔽しており、
前記筐体は、前記支柱を該筐体内に下部から挿入して固定する固定部材を有し、
前記筐体の外部から前記支柱を前記固定部材に固定するようにしてあることを特徴とする表示装置。
【請求項２】
前記固定部材は孔が形成された天板を有し、
前記支柱の上部を覆う蓋が設けられており、
該蓋の上面に前記孔に嵌合する爪部が形成されていることを特徴とする請求項１に記載の表示装置。
【請求項３】
前記固定部材はチャンネルでなり、 
該チャンネルが、ウェブを上側にしてフランジを下向きにしており、
板状の補強部材が前記フランジの一方の内側に当接しており、
該補強部材及び前記チャンネルが前記筐体に螺着されていることを特徴とする請求項１又は２に記載の表示装置。
【請求項４】
前記筐体は、前筐体と、該前筐体の背面側から嵌合する角盆状の後筐体とからなり、
前記前筐体内に螺合部が固着され、
前記後筐体に孔が形成されており、
該孔の位置に対応して、前記支柱、前記チャンネル及び前記補強部材に貫通孔が形成されており、
前記螺合部が前記チャンネル及び前記補強部材の前記貫通孔に嵌入して、該螺合部の先端が前記補強部材と面一になっており、
前記孔及び前記貫通孔から固着部材を前記螺合部に螺合させて、前記後筐体及び前記支柱を前記前筐体に螺着していることを特徴とする請求項３に記載の表示装置。
【請求項５】
前記支柱は、該支柱の前記貫通孔に嵌入されている挿通管を有することを特徴とする請求項４に記載の表示装置。
【請求項６】
前記下ヒンジは、蓋を有する筒状をなし、
前記上ヒンジは、底を有する筒状をなしており、
前記底の下面に、前記上ヒンジの下縁の外径と略同外径の摺動筒が下向きに設けられ、
前記下ヒンジに、前記摺動筒が摺動可能に嵌合する溝が設けられていることを特徴とする請求項１に記載の表示装置。
【発明の詳細な説明】
【技術分野】
【０００１】
本発明は、スイベル機構を備える表示装置に関する。
【背景技術】
【０００２】
従来のテレビジョン及びディスプレイ等の例えば液晶表示装置は、バックライト及び液晶パネル等が収容された筐体の下部の中央に設けられたスタンドでバランス良く支持されている（例えば、特許文献１乃至３）。また液晶表示装置の中には、表示画面の前後の角度調整が可能なヒンジ部を備えたスタンドで支持されているものが知られている（例えば特許文献４）。
しかし、このような従来の液晶表示装置は、表示画面の左右の角度調整が可能なスイベル機構を備えていない。
【０００３】
表示画面の左右の角度調整が可能なスイベル機構を備えたスタンドで支持される表示装置として本発明者らの提案がある。
図１０は従来のスイベル機構を備えるスタンドで支持された表示装置を示す背面方向からの斜視図、図１１は従来のスイベル機構を備えるスタンドを示す上方向からの斜視図、図１２はスイベル機構の要部を示す上方向からの拡大斜視図である。
表示装置は、バックライト及び液晶パネル等を収容する筐体４を有し、筐体４がスタンド６で支持されている。
筐体４の背面の中央下部に前方に窪んだ矩形状の凹部４ａが設けられており、凹部４ａの下部が開放されており、スタンド６を筐体４の背面側から凹部４ａに嵌めこんだとき、スタンド６の支柱６ｂと凹部４ａとが干渉しないようになっている。
【０００４】
スタンド６は、図１１に示すように、スタンドベース６ａと、スタンドベース６ａの略中央に立設された三角柱状の支柱６ｂとを有し、支柱６ｂの上部にはスイベル機構が設けられている。スイベル機構は、回動軸（図示せず）が支柱６ｂ内に縦方向に、左右方向に回動可能に設けられており、円盤状のスイベルヒンジ８が回動軸に固定されている。スイベルヒンジ８の直径は、回動軸と略同径であり、支柱６ｂの平面視略三角形に内接する円の直径よりも少し小さい。
【０００５】
スイベルヒンジ８の上部には、図１２に示すように、矩形箱状のブラケット１０が固設されており、ブラケット１０の上部が開放されている。ブラケット１０は筐体４の凹部４ａに取り付けられている。ブラケット１０は横長であり、ブラケット１０の下面の長辺側は割合大きく、短辺側は少しだけ、支柱６ｂ上面の周囲からはみ出ている。
ブラケット１０の筐体４の正面側の前壁には、横方向及び上方向に筐体４の背面側の後壁よりも広くなった鍔部１０ａが形成されている。鍔部１０ａの四隅に各取付孔１０ｂが形成され、ブラケット１０の後壁の上部の両隅に各ねじ穴１０ｃが形成されている。
【０００６】
ブラケット１０は、ブラケット１０の前壁から凹部４ａに嵌る形状に形成されており、鍔部１０ａの各取付孔１０ｂは、凹部４ａの各ねじ穴と対応する位置にある。ブラケット１０の各取付孔１０ｂからボルトを凹部４ａの各ねじ穴に差し込んで螺着することにより、筐体４がブラケット１０に固定され、スタンド６が筐体４を回動可能に支持するようになっている。
【０００７】
ブラケット１０は、ブラケット１０の後壁側からブラケット１０の大部分が嵌り込む矩形箱状の化粧カバー１０ｄで覆われて外部から見えないようになっており、化粧カバー１０ｄの下部は支柱６ｂの外形に対応して三角形状の切り欠きが形成され、支柱６ｂと干渉しないようになっている。
化粧カバー１０ｄは、化粧カバー１０ｄの筐体４の背面側の面に設けている取付孔１０ｅからボルトを差し込んでブラケット１０後壁のねじ穴１０ｃに螺着させて、ブラケット１０に固定されている。化粧カバー１０ｄがブラケット１０に取り付けられたとき、凹部４ａは化粧カバー１０ｄにより蓋をされたようになっている。
【０００８】
このような表示装置では、表示画面の左端又は右端を後側へ押して、左又は右に押した方向に安定して回動させることができ、見やすい画面の向きに調整することができる。
【特許文献１】特開２００６−３０４０７９号公報
【特許文献２】特開２００５−３５２３３３号公報
【特許文献３】実用新案登録第３１０８６４０号公報
【特許文献４】特開２００３−６６８６３号公報
【発明の開示】
【発明が解決しようとする課題】
【０００９】
しかしながら従来の本発明者らの提案の表示装置は、スイベル機構を備えるスタンド６により筐体４背面側の下部で支持されているため、より大画面の表示装置に対しては、前後方向へ転倒し易くなる可能性を否定しきれず、同様の構造でも安定して回動可能に支持できるかどうか懸念されている。
さらにブラケット１０が外部から見えないようにするために、化粧カバー１０ｄを取り付けているが、製造上煩雑である。
【００１０】
本発明は、このような事情に鑑みてなされたものであって、その目的とするところは、スイベル機構の可動部をスタンド内に収容し、スイベル機構の支柱を筐体下部から挿入する構成を備えることにより、スイベル機構の化粧カバーが不要になり、筐体を安定して回動自在に支持することができる表示装置を提供することにある。
【００１１】
本発明の他の目的とするところは、スイベル機構を取り付けるチャンネルの天板の孔とスイベル機構の支柱の蓋の爪部とが嵌合する構成を備えることにより、チャンネルに対して支柱の位置を容易に決めることができる表示装置を提供することにある。
【００１２】
本発明の他の目的とするところは、スイベル機構を取り付けるチャンネルの内側に補強部材を当接させて締結可能にする構成を備えることにより、チャンネルが強固になると共に、被取付物をより強固にチャンネルに締結にすることができる表示装置を提供することにある。
【００１３】
本発明の他の目的とするところは、スイベル機構の支柱を前筐体内で補強してあるチャンネルに嵌入させてから後筐体及び支柱を前筐体に螺着する構成を備えることにより、筐体内にスイベル機構の支柱をより強固に取り付けることができる表示装置を提供することにある。
【００１４】
本発明の他の目的とするところは、スイベル機構の支柱の貫通孔に挿通管が嵌入している構成を備えることにより、筐体の外部からボルトを支柱の貫通孔に容易に挿入して固定できる表示装置を提供することにある。
【００１５】
本発明の他の目的とするところは、スイベル機構のヒンジの直径を大きくしてある構成を備えることにより、安定した回動をするスイベル機構で画面の向きを調節できる表示装置を提供することにある。
【課題を解決するための手段】
【００１６】
本発明の表示装置は、スタンドに固設されたスイベル機構で筐体を支持する表示装置において、前記スイベル機構は、下ヒンジと、該下ヒンジに回動可能に支持されている上ヒンジと、該上ヒンジに固定された筒状の支柱とを有し、前記スタンドは、前記上ヒンジ及び下ヒンジを遮蔽しており、前記筐体は、前記支柱を該筐体内に下部から挿入して固定する固定部材を有し、前記筐体の外部から前記支柱を前記固定部材に固定するようにしてあることを特徴とする。
【００１７】
このような構成の本発明の表示装置では、筐体の正面横端の一方を後側に押圧したとき、押圧した方向に、上ヒンジが回動し、表示装置の画面の向きが押圧方向に変わる。
スイベル機構の上ヒンジ及び下ヒンジがスタンドの大きさに合わせて直径を大きく形成可能になり、安定して回動する。
スタンドのスイベル機構を立てた状態で、筐体下部からスイベル機構の支柱が固定部材に挿入され、筐体の外部から締結部材で支柱を固定部材に固定し、スタンドのスイベル機構が筐体を支持し、固定部材が外部から見えない。
したがって、本発明の表示装置では、固定部材に化粧カバーの取付が不要になる。
【００１８】
本発明の表示装置は、前記固定部材は孔が形成された天板を有し、前記支柱の上部を覆う蓋が設けられており、該蓋の上面に前記孔に嵌合する爪部が形成されていることを特徴とする。
【００１９】
このような構成の本発明の表示装置では、スイベル機構の支柱を固定部材に嵌入したとき、支柱の蓋の爪部が固定部材の天板の孔に嵌り、固定部材に対する支柱の位置が容易く決まる。
【００２０】
本発明の表示装置は、前記固定部材はチャンネルでなり、該チャンネルが、ウェブを上側にしてフランジを下向きにしており、板状の補強部材が前記フランジの一方の内側に当接しており、該補強部材及び前記チャンネルが前記筐体に螺着されていることを特徴とする。
【００２１】
このような構成の本発明の表示装置では、補強部材がチャンネルの内側に当接して、補強部材及びチャンネルが筐体に螺着し、補強部材がチャンネルを補強してより強固に締結可能になる。
【００２２】
本発明の表示装置は、前記筐体は、前筐体と、該前筐体の背面側から嵌合する角盆状の後筐体とからなり、前記前筐体内に螺合部が固着され、前記後筐体に孔が形成されており、該孔の位置に対応して、前記支柱、前記チャンネル及び前記補強部材に貫通孔が形成されており、前記螺合部が前記チャンネル及び前記補強部材の前記貫通孔に嵌入して、該螺合部の先端が前記補強部材と面一になっており、前記孔及び前記貫通孔から固着部材を前記螺合部に螺合させて、前記後筐体及び前記支柱を前記前筐体に螺着していることを特徴とする。
【００２３】
このような構成の本発明の表示装置では、補強部材で補強したチャンネルに支柱が嵌入してから、前筐体が後筐体に嵌合し、後筐体の孔から固着部材をチャンネルの筐体背面側の貫通孔、支柱の筐体背面及び正面側の貫通孔に挿入する。固着部材が補強部材と面一の螺合部に螺合し、後筐体及び支柱が前筐体に螺着する。
【００２４】
本発明の表示装置は、前記支柱は、該支柱の前記貫通孔に嵌入されている挿通管を有することを特徴とする。
【００２５】
このような構成の本発明の表示装置では、例えばボルトを貫通孔から挿入したとき、挿通管がボルトを案内する。
【００２６】
本発明の表示装置は、前記下ヒンジは、蓋を有する筒状をなし、前記上ヒンジは、底を有する筒状をなしており、前記底の下面に、前記上ヒンジの下縁の外径と略同外径の摺動筒が下向きに設けられ、前記下ヒンジに、前記摺動筒が摺動可能に嵌合する溝が設けられていることを特徴とする。
【００２７】
このような構成の本発明の表示装置では、筐体の正面横端の一方を後側に押圧したとき、押圧した方向に、上ヒンジの摺動筒が下ヒンジの溝に沿って摺動かつ回動し、表示装置の画面の向きが押圧方向に変わる。
スイベル機構の回動径は摺動筒の直径になり、筐体下部からスイベル機構の支柱を挿入しているので、筐体の奥行きと同程度にまで大きくすることが可能になる。
したがって、本発明の表示装置では、スイベル機構の回動径を大きくすることにより大画面であっても表示装置の支持及びスイベル調節が安定する。
【発明の効果】
【００２８】
本発明の表示装置は、スタンドのスイベル機構を筐体下部から挿入するので、筐体を安定して回動自在に支持することができるという効果を有する。またスイベル機構の支柱を固定する固定部材が筐体内に設けられ、筐体の外部から支柱を固定部材に固定しているので、支柱を固定する固定部材が外部から見えないという効果を有する。
したがって、本発明の表示装置は、化粧カバーの取付が不要になり、化粧カバーの取付工程がなくなり、工数の削減を図ることができる。さらに筐体下部からスタンドのスイベル機構を挿入して固定するだけであるので、スイベル機構を備えるスタンドの交換が容易になる。
【００２９】
本発明の表示装置は、固定部材の天板の孔と支柱の蓋の爪部とが嵌合するので、固定部材に対して支柱の位置を容易に決めることができるという効果を有する。
【００３０】
本発明の表示装置は、チャンネルの内側に補強部材を当接させて締結可能にしているので、チャンネルが強固になると共に、被取付物をより強固にチャンネル内に締結にすることができるという効果を有する。
【００３１】
本発明の表示装置は、スイベル機構の支柱を前筐体内で補強してあるチャンネルに嵌入させてから後筐体及び支柱を前筐体に螺着するので、筐体内にスイベル機構をより強固に取り付けることができるという効果を有する。さらにスイベル機構を取り付けるチャンネルを筐体に内蔵しているので、スイベル機構の取付部分が外部から見えず、スイベル機構の化粧カバーが不要になり、化粧カバーの取付工程がなくなる。
【００３２】
本発明の表示装置は、支柱の貫通孔に挿通管が嵌入しているので、外部から例えばボルトを支柱の後壁の貫通孔から前壁の貫通孔まで容易に挿入することができるという効果を有する。
【００３３】
本発明の表示装置は、スイベル機構の回動直径を大きくしているので、安定した回動で剛性のあるヒンジにすることができ、表示装置の支持及びスイベル調節が安定するという効果を有する。
したがって、本発明の表示装置は、大画面の向きを自在に調節することができるようになる。
【発明を実施するための最良の形態】
【００３４】
以下、図面に基づき、本発明による表示装置の好適な実施の形態を説明する。
図１は本発明の実施の形態に係る表示装置を示す背面上方向からの斜視図、図２は図１のＩＩ−ＩＩ断面を示す側断面図、図３はスイベル機構を示す正面方向からの斜視図である。
表示装置の筐体２６内には、バックライト及び液晶パネル等（図示せず）が収容されている。スタンド２４には、スイベル機構２０が固設されており、筐体２６の下部からスイベル機構２０の支柱２３が筐体２６内に挿入され、筐体２６を左右方向に回動可能に支持している。スイベル機構２０の回動軸は、筐体２６の横方向に対して中央で、筐体２６の前後に対して中央よりも少し後側に位置するようにしてある。
筐体２６は、バックライト及び液晶パネル等を収容する額縁状の前筐体２６ａと、盆状の後筐体２６ｂとからなっており、後筐体２６ｂが前筐体２６ａの背面を覆って填め込まれるようになっている。後筐体２６ｂの幅方向中央の少し上部に、筐体２６をスイベル機構２０に固定するための取付孔２６ｃ、２６ｃ、２６ｃ、２６ｃが四個形成されている。
【００３５】
本実施の形態に係るスイベル機構２０は、図２及び図３に示すように、平面視矩形状の基台１９に立設された下スイベルヒンジ２１と、下スイベルヒンジ２１に回動可能に支持される上スイベルヒンジ２２と、上スイベルヒンジ２２の上部に固定されている支柱２３とを有する。基台１９の四隅に、スイベル機構２０をスタンド２４に固設するためのねじ穴２０ａが各一個形成されている。
【００３６】
下スイベルヒンジ２１は、有蓋無底筒状でなり、上部中央に下スイベルヒンジ２１及び上スイベルヒンジ２２を連結するスイベル軸３０が嵌合する孔２１ｂと、外周縁近くに輪状の溝２１ｃとを有し、孔２１ｂと溝２１ｃとがスイベル軸３０と同軸になっている。
上スイベルヒンジ２２は、無蓋有底筒状でなり、底中央にスイベル軸３０が嵌合する孔２２ａと、下スイベルヒンジ２１に摺動可能な摺動筒２２ｂとを有する。摺動筒２２ｂは、上スイベルヒンジ２２の下面の外周縁近くに、スイベル軸３０と同軸に輪状の凸部が下向きに形成されている。下スイベルヒンジ２１の上部と上スイベルヒンジ２２の下部とは略同径になっており、上スイベルヒンジ２２の摺動筒２２ｂは、下スイベルヒンジ２１の溝２１ｃに摺動可能に嵌合している。
【００３７】
スイベル軸３０は、側断面視Ｔ字形の円柱状でなり、孔２２ａ及び孔２１ｂに上スイベルヒンジ２２側から挿通され、下スイベルヒンジ２１側からナット３０ａで、孔２２ａ及び孔２１ｂから抜け出ないように固定されており、上下方向に少し移動可能に遊びを設けてある。上スイベルヒンジ２２は、スイベル軸３０を回動支点として、下スイベルヒンジ２１に回動可能に支持されている。
【００３８】
上スイベルヒンジ２２は、下部が台状の円台筒２２ｃでなり、さらに段差が外向きに基台１９の長辺方向に形成されて、胴部が略楕円台筒２２ｄになり、さらに段差が楕円の長軸方向に外向きに形成されて、頭部が略矩形台筒２２ｅになっている。略矩形台筒２２ｅの四隅には、ねじ止め用の孔２２ｆ（図８参照）が各一個形成されている。
【００３９】
略矩形台筒２２ｅ上面には、長辺方向の長さが同寸の矩形筒状の支柱２３が載置されており、支柱２３は略矩形台筒２２ｅの四隅のねじ止め用孔からボルトで略矩形台筒２２ｅに螺着されている。
基台１９下面から略矩形台筒２２ｅ上面までの高さは、支柱２３の高さと同程度にしてある。
略矩形台筒２２ｅの両短辺側の縁中央の少し内側で支柱２３の厚さ程度の箇所に、上スイベルヒンジ２２位置決め用の円柱状のピン２２ｇ、２２ｇが二個立設されている。支柱２３の短辺側の両側壁内面に断面半円状の溝２３ｅ、２３ｅが二個形成されており、支柱２３を上スイベルヒンジ２２の略矩形台筒２２ｅに載置したとき、位置決め用のピン２２ｇ、２２ｇが溝２３ｅ、２３ｅに嵌合するようにしてある。
【００４０】
支柱２３の上部は、合成樹脂製の矩形状の蓋２３ａが嵌めこまれており、蓋２３ａの上面に、スイベル機構２０の位置決めをするための爪部２３ｂ、２３ｂが長辺方向に所定間隔に並んで二個形成されている。
支柱２３の長辺側の両側壁（前壁及び後壁）を貫通する貫通孔２３ｃが、両側壁の四隅に各一個ずつ形成されており、対向する前壁の貫通孔２３ｃから後壁の貫通孔２３ｃに合成樹脂製の挿通管２３ｄがそれぞれ挿通されている。
【００４１】
下スイベルヒンジ２１、上スイベルヒンジ２２及び支柱２３は、アルミダイキャストで造られた鋳造物である。
【００４２】
図４は本発明の実施の形態に係るスタンドを示す上方向からの斜視図である。
スタンド２４は、平面視略楕円形の逆皿状のスタンドベース２４ａを、略同形状のスタンドカバー２４ｂに下から嵌めこんで固定されたものであり、二重構造になっている（図２参照）。スタンドカバー２４ｂには、中央寄りの位置に、広い裾野から立ち上がるように楕円筒状に成形された楕円状開口部２４ｄが形成されている。
開口部２４ｄの外形は、上スイベルヒンジ２２の略楕円台筒２２ｄの外形に対応して略同形に形成されており、開口部２４ｄに枠２４ｅが内向きにせりだして形成されている。枠２４ｅの長手方向は、スタンドカバー２４ｂの長手方向と基台１９の長辺方向とを揃えて、基台１９の平面視外形より少し大きめに形成されている。
【００４３】
図５は本発明の実施の形態に係るスイベル機構をスタンドに固設した状態を示す正面方向からの斜視図、図６は同背面方向からの斜視図である。
本実施の形態に係るスタンド２４は、基台１９を開口部２４から挿着し、スタンドベース２４ａの裏側から基台１９のねじ穴２０ａにボルトを差し込んで螺着することにより、スイベル機構２０がスタンド２４に固定されるようにしてある。スイベル機構２０をスタンド２４に取り付けたとき、開口部２４ｄの上端と上スイベルヒンジ２２の略楕円台筒２２ｄの下面とは、少し隙間を有するようにしている。
【００４４】
次に本実施の形態に係るスイベル機構２０を筐体２６に取り付ける構造について説明する。
図７は本実施の形態に係るスイベル機構を取り付けるチャンネル周りを示す筐体背面下方向からの斜視図、図８はスイベル機構をチャンネルに取り付けた状態を示す筐体背面下方向からの斜視図、図９は図１のＶＩＩ−ＶＩＩ断面を示す側断面図である。
前筐体２６ａには、前筐体２６ａを縦に略三等分割した中央の領域を挟む背面側に、下方向内側に屈曲する二本の長板状のフレーム４０、４０が、前筐体２６ａの上縁から下縁近くまで配設されている。フレーム４０、４０は、前筐体２６ａ内の複数の固定部（図示せず、以下同様）にビスで複数箇所固定されている。
フレーム４０が屈曲する屈曲部４０ａは、先端が下方向に少し延出されて固定部にビスで固定されている。屈曲部４０ａ、４０ａには舌状のブラケット４０ｂ、４０ｂが下向きに形成されており、ブラケット４０ｂの表面は筐体２６の背面側を向いている。
【００４５】
スイベル機構２０の支柱２３を挟持する断面視コの字形のチャンネル５０（固定部材）が、ブラケット４０ｂ、４０ｂの直下に設けられている。
チャンネル５０は、前壁５０ａ（フランジ）と、前壁５０ａよりも横幅が狭く対向する後壁５０ｂ（フランジ）と、前壁５０ａ及び後壁５０ｂを結合する平面視凸字形状の天板５０ｃ（ウェブ）とを有しており、前壁５０ａが後壁５０ｂよりも広い部分に対応して、天板５０ｃの前壁５０ａに連結する部分も一部横方向に延出して広くなっている。天板５０ｃには、スイベル機構２０の支柱２３の蓋２３ａ上面に形成されている爪部２３ｂ、２３ｂに対応する位置に、孔５０ｈ、５０ｈが横並びに二個形成されている。
チャンネル５０は、前壁５０ａが筐体２６の正面側に、後壁５０ｂが筐体２６の背面側にあり、筐体２６の前後に対して中央より少し後側に位置している。
【００４６】
天板５０ｃの一部横方向に延出した後側の両縁には、上方へ延出する取付部５０ｄ、５０ｄが二個形成されている。取付部５０ｄは、ブラケット４０ｂにビスで固定されており、前壁５０ａの下縁両端が、前筐体２６ａの固定部に固定されている。
【００４７】
後壁５０ｂの四隅に貫通孔５０ｅが各一個形成されており、後壁５０ｂの貫通孔５０ｅと対応する箇所の前壁５０ａに同様の貫通孔５０ｅが各一個形成されている。貫通孔５０ｅは、チャンネル５０にスイベル機構２０の支柱２３を嵌め入れたとき、支柱２３の前壁及び後壁を貫通する貫通孔２３ｃに対応する位置に形成されており、径は貫通孔２３ｃに挿通されている挿通管２３ｄの内径と同じにしてある（図９を参照）。
さらに貫通孔５０ｅは、後筐体２６ｂに形成されている四個の取付孔２６ｃと対応する位置にある。
さらに前壁５０ａ及び後壁５０ｂの中央の下部には、後述するスペーサ５２を前筐体２６ａに取り付けるための貫通孔５０ｆ、５０ｆが縦並びに二個形成されている。
【００４８】
前筐体２６ａには四個の円柱状の螺合部４２、４２、４２、４２が形成されており、各螺合部４２が前壁５０ａの各貫通孔５０ｅに嵌合して、先端が突出している。貫通孔５０ｅ、５０ｅ、５０ｅ、５０ｅの位置に対応し、かつ、貫通孔５０ｅと同径の孔５２ａ、５２ａ、５２ａ、５２ａが形成されている側面視略逆Ｌ字形で正面視矩形状の平板状のスペーサ５２が、逆Ｌ字の縦方向の前面を前壁５０ａの内面に当接させている。スペーサ５２は、螺合部４２の先端を孔５２ａに嵌合させて、螺合部４２と面一に固定されている（図９を参照）。
スペーサ５２は、横幅方向に対して中央の下部に、前壁５０ａの貫通孔５０ｆと対向する箇所に孔が形成され（図２を参照）、前壁５０ａの貫通孔５０ｆからボルトを差し込んで前筐体２６ａに螺着されるようになっており、逆Ｌ字形の横向きの部分が前筐体２６ａの正面側に延出されて固定されている。
なお、後壁５０ｂの貫通孔５０ｆ、５０ｆは、ドライバーを挿通して、前壁５０ａの貫通孔５０ｆに差し込んだボルトを螺着するために形成されている（図７を参照）。
【００４９】
このような本実施の形態では、図８に示すように、スイベル機構２０の支柱２３がチャンネル５０に下から嵌入し、支柱２３の蓋２３ａにある爪部２３ｂ、２３ｂがチャンネル５０の天板５０ｃの孔に嵌入して、蓋２３ａ上面と天板５０ｃの内面とが当接し、支柱２３の前壁及び後壁がチャンネル５０の前壁５０ａ及び後壁５０ｂの内面にそれぞれ当接する。
そして、図１に示すように、前筐体２６ａに後筐体２６ｂを背面側から嵌め入れて、後筐体２６ｂは、取付孔２６ｃからチャンネル５０の貫通孔５０ｅを介して支柱２３の挿通管２３ｄにボルトを差し込んで、螺合部４２に螺着される。
【００５０】
したがって、本実施の形態は、表示装置の画面の端を押したとき、押した方向に上スイベルヒンジ２２が自在に回動し、表示装置の回動角度を自由に変えることができる。またスイベル機構２０のヒンジをスタンド２４内に収容し、支柱２３を筐体２６内に挿入しているので、外部からスイベル機構２０のチャンネル５０が見えず、従来のような化粧カバーが不要になり、部品点数及び製造工数を減らすことができる。さらにスタンド２４のスイベル機構２０を立てた状態で、前筐体２６ａのチャンネル５０をスイベル機構２０の支柱２３に嵌入させて後筐体２６ｂを嵌め入れることにより、筐体２６をスタンド２４のスイベル機構２０に固定することができ、組み立て作業が容易になる。またスイベル機構２０の上スイベルヒンジ２２の口径がチャンネル５０の前壁５０ａと後壁５０ｂとの距離と同程度であるので、スイベル機構２０が、筐体２６を安定して支持し、かつ、回動させることができる。
【００５１】
なお、本実施の形態では、筐体２６を前筐体２６ａと後筐体２６ｂとして、最後に後筐体２６ｂと支柱２３とを固定するようにしたが、後筐体２６ｂを前筐体２６ａに嵌めこんだ後、支柱２３を筐体２６の下部からチャンネル５０に嵌入して、固定するようにしてもよい。
支柱２３を固定するチャンネル５０はコの字形にしているが、下部が開放された箱状部材であってもよい。
【図面の簡単な説明】
【００５２】
【図１】本発明の実施の形態に係る表示装置を示す背面上方向からの斜視図である。
【図２】図１のＩＩ−ＩＩ断面を示す側断面図である。
【図３】スイベル機構を示す正面方向からの斜視図である。
【図４】本発明の実施の形態に係るスタンドを示す上方向からの斜視図である。
【図５】本発明の実施の形態に係るスイベル機構をスタンドに固設した状態を示す正面方向からの斜視図である。
【図６】同背面方向からの斜視図である。
【図７】本実施の形態に係るスイベル機構を取り付けるチャンネル周りを示す筐体背面下方向からの斜視図である。
【図８】スイベル機構をチャンネルに取り付けた状態を示す筐体背面下方向からの斜視図である。
【図９】図１のＶＩＩ−ＶＩＩ断面を示す側断面図である。
【図１０】従来のスタンドで支持された表示装置を示す背面方向からの斜視図である。
【図１１】従来のスイベル機構を備えるスタンドを示す上方向からの斜視図である。
【図１２】スイベル機構の要部を示す上方向からの拡大斜視図である。
【符号の説明】
【００５３】
２０  スイベル機構
２１  下スイベルヒンジ
２１ｃ、２３ｅ  溝
２２  上スイベルヒンジ
２２ｂ  摺動筒
２２ｇ  ピン
２３  支柱
２３ａ  蓋
２３ｂ  爪部
２３ｃ、５０ｅ貫通孔
２３ｄ  挿通管
２４  スタンド
２４ａ  スタンドベース
２４ｂ  スタンドカバー
２６  筐体
２６ａ  前筐体
２６ｂ  後筐体
５０  チャンネル（固定部材）
５０ａ  前壁（フランジ）
５０ｂ  後壁（フランジ）
５０ｃ  天板
５０ｈ  孔
５２  スペーサ（補強部材）
【図１】
2008209521.tif 000003
【図２】
2008209521.tif 000004
【図３】
2008209521.tif 000005
【図４】
2008209521.tif 000006
【図５】
2008209521.tif 000007
【図６】
2008209521.tif 000008
【図７】
2008209521.tif 000009
【図８】
2008209521.tif 000010
【図９】
2008209521.tif 000011
【図１０】
2008209521.tif 000012
【図１１】
2008209521.tif 000013
【図１２】
2008209521.tif 000014